(57)【要約】【課題】  透明または半透明な樹脂から成る歯科用インプラントボディの収納容器において、刻印よりも低コストで、衛生的且つ明確に長さ等の表示が可能な歯科用インプラントボディ収納容器を提供する。【解決手段】  透明または半透明の樹脂から構成され、一端が閉ざされていて他端に設けられた挿入口側から歯科用インプラントボディが収納される筒状の収納体本体と、該収納体本体の挿入口側に装着される蓋体とから成る収納容器において、外面から識別可能な歯科用インプラントボディの長さを示すラインが収納体本体の内壁及び／または外壁の段差によって設けられていることを特徴とする歯科用インプラントボディ収納容器とする。【選択図】  図４
2013192760.tif 000002
【特許請求の範囲】
【請求項１】
透明または半透明の樹脂から構成され、一端が閉ざされていて他端に設けられた挿入口側から歯科用インプラントボディが収納される筒状の収納体本体と、該収納体本体の挿入口側に装着される蓋体とから成る収納容器において、
外面から識別可能な歯科用インプラントボディの長さを示すラインが収納体本体の内壁及び／または外壁の段差によって設けられていることを特徴とする歯科用インプラントボディ収納容器。
【請求項２】
収納されている歯科用インプラントボディの長さを示すラインが、閉ざされている一端から挿入口側に向かって円筒の内径が拡大する１〜１０段の内壁の段差である請求項１に記載の歯科用インプラントボディ収納容器。
【請求項３】
収納されている歯科用インプラントボディの長さを示すラインが、閉ざされている一端から挿入口側に向かって円筒の外径が拡大する１〜１０段の外壁の段差である請求項１に記載の歯科用インプラントボディ収納容器。
【請求項４】
歯科用インプラントボディが蓋体に保持される構成である請求項１ないし３に記載の何れか１項に記載の歯科用インプラントボディ収納容器。
【発明の詳細な説明】
【技術分野】
【０００１】
本発明は、歯科用インプラント治療において用いられる歯科用インプラントボディを収納するインプラントボディ収納容器に関する。
【背景技術】
【０００２】
近年、歯科補綴治療の一つとして、欠如歯部の顎骨内に生体親和性に優れたチタンまたはチタン合金製の人工歯根（以後、歯科用インプラントボディと呼ぶことがある）を埋入して骨との直接的な結合（オッセオインテグレーション）を介して天然歯根の代用とする歯科用インプラント治療が普及してきている。歯科用インプラントボディは顎骨に埋入されることから衛生的であることが強く求められており、そのため歯科用インプラントボディを使用時まで収納しておく歯科用インプラントボディ収納容器は滅菌状態を維持できる高い密閉性が強く求められている。
【０００３】
滅菌状態を維持できる歯科用インプラントボディ収納容器としては、歯科用インプラントボディに不純物を付着し難くするために収納体本体が歯科用インプラントボディと同質のチタン材で作製されていた（例えば、特許文献１参照。）。しかしながら、このインプラントボディ収納容器は、収納体本体をチタン材で作製していることからインプラントボディ収納容器が使い捨てとされている実情を考慮すると、チタン資源の無駄となるという問題があった。
【０００４】
この問題に対して、収納体本体を透明な樹脂製とすると共に、歯科用インプラントボディの口腔内側端部に予めマウントを係合させて、このマウントで歯科用インプラントボディを吊り下げることによって、歯科用インプラントボディを収納する収納容器がある（例えば、特許文献２〜４参照。）。これらの収納容器では、マウントにより歯科用インプラントボディが吊り下げられていて、その外面が収納体本体内面と当接しないために収納体本体をチタン製とする必要もなく且つ搬送中にも歯科用インプラントボディが損傷し難いという利点がある。同様に、マウントを使用する代わりに収納体本体内にホルダ部を設けて、このホルダ部で歯科用インプラントボディの口腔内側端部を保持することによって、歯科用インプラントボディを収納する容器もある（例えば、特許文献５，６参照。）。これらのインプラントボディ収納容器では、ホルダ部により歯科用インプラントボディの口腔内側端部が保持されていて、その外面が収納体本体内面と当接しないために収納体本体をチタン製とする必要もなく且つ搬送中にも歯科用インプラントボディが損傷し難いだけでなく、ボディマウントを使用していないことから歯科用インプラントボディを直接工具によって取り出すことができるという利点がある。
【０００５】
しかし、これらの透明な樹脂から構成されているタイプの収納容器は、歯科用インプラントボディの長さが分かり難いという問題があった。即ち、歯科用インプラントボディはその適用部位によって数ミリ単位でその長さの異なるものが存在するが、従来の収納容器は、歯科用インプラントボディが衛生的であることが強く求められているので、印刷によるインクの使用やラベルによる糊，紙の使用を避ける必要があり、収納されている歯科用インプラントボディの長さを示す直接的な表示が存在していなかった。従来のチタン製の収納容器と同様に刻印による表示方法も試みられているが、透明または半透明であることから識別し難いことに加え、刻印はコストもかかるために広く行われていない。
【特許文献１】特開２００８−２８４１４５号公報
【特許文献２】特表２０００−５１２１９４号公報
【特許文献３】特表２００４−５２６５３０号公報
【特許文献４】特開２００８−１２５９８２号公報
【特許文献５】特開２００４−２４３１２７号公報
【特許文献６】特表２００４−５１０５４１号公報
【発明の概要】
【発明が解決しようとする課題】
【０００６】
そこで本発明は、透明または半透明の樹脂から成る歯科用インプラントボディの収納容器において、刻印よりも低コストで、衛生的且つ明確に長さ等の表示が可能な歯科用インプラントボディ収納容器を提供することを課題とする。
【課題を解決するための手段】
【０００７】
本発明者等は前記課題を解決するために鋭意検討した結果、透明または半透明の樹脂から構成され、一端が閉ざされていて他端に設けられた挿入口側から歯科用インプラントボディが収納される筒状の収納体本体と、該収納体本体の挿入口側に装着される蓋体とから成る収納容器において、外面から識別可能な歯科用インプラントボディの長さを示すラインが収納体本体の内壁及び／または外壁の段差によって設けられていると前記課題を解決可能であることを見出して本発明を完成した。
【発明の効果】
【０００８】
本発明に係る歯科用インプラントボディ収納容器は、透明または半透明の樹脂から成る歯科用インプラントボディの収納容器において、安価で衛生的且つ明確に、長さ等の表示を行うことが可能な歯科用インプラントボディ収納容器である。
【図面の簡単な説明】
【０００９】
【図１】本発明に係る歯科用インプラントボディ収納容器の実施例の説明用正面図。
【図２】図１に示した歯科用インプラントボディ収納容器の蓋体の正面図。
【図３】インプラントボディの正面図。
【図４】図１に示した歯科用インプラントボディ収納容器に図３に示したインプラントボディを収納した状態を示す説明用正面図。
【図５】図１に示した収納体本体の説明用正面図及びそのＡ部分断面の拡大説明図。
【図６】図２に示した蓋体の断面図。
【図７】別実施形態の収納体本体の説明用正面図及びそのＡ部分断面の拡大説明図。
【発明を実施するための形態】
【００１０】
図面中１は、本発明に係る歯科用インプラントボディ収納容器において、一端が閉ざされていて他端に設けられた挿入口側から歯科用インプラントボディが収納される筒状の収納体本体である。収納体本体１は透明または半透明の樹脂で製造されている。収納体本体１は、その挿入口側端に後述する蓋体の雄ネジ部と係合するための雌ネジ部1cを有している。また、図１，２，４に示した例では、ネジにより係合されている蓋体を容易に取り外すことができるよう収納体本体１の挿入口側に複数の凸条部1dが形成されている。なお、図示した実施例では凸条部1dは透明であり収納体本体１と一体で成型されている。
【００１１】
２は収納体本体１の挿入口を封じるための蓋体である。蓋体２には、収納体本体１から蓋体２を容易に取り外すことができるよう外周囲に複数の凸条部2aが形成され、更に、収納体本体１の雌ネジ部1cに対応する部位に雄ネジ部2bが設けられている。収納体本体１と蓋体２を係合させる手段としては、実施例のようにネジであることが好ましいが、収納体本体１の挿入口を封じることが可能であれば特にその手段は限定されず、圧入や仮接着による嵌合等の手段を用いても良い。
【００１２】
蓋体２の内面には、図６に示したようにインプラントボディＸを保持するための保持部2cが設けられている。保持部2cはインプラントボディＸの頭頂部Xaを保持する形状となっている。図３に示したインプラントボディＸの頭頂部Xaは六角柱であり、蓋体２の保持部2cはそれに対応した六角穴である。
【００１３】
保持部2cの六角穴の先端には突起部2cbが設けられており、この突起部がインプラントボディXの頭頂部Xa下側のアンダーカットに嵌り、図４に示したようにインプラントボディＸを吊り下げて保持する。そのため、蓋体２に設けられている保持部2cは樹脂製であることが好ましい。もちろん、蓋体２のその他の部位の材質は金属製であっても良い。実施例では保持部2cを含めて蓋体２は全体が半透明な樹脂製である。
【００１４】
収納体本体１には外面から識別可能なライン1aが設けられている。この識別可能なライン1aは、蓋体２に保持された状態で収納体本体１に収納されている歯科用インプラントボディＸの長さ、例えば、図４に示したように、その収納された状態での先端の位置を示す線である。ライン1aは、図５または図７に示すように、収納体本体１の収納部1bの壁に設けられた段差1aaによって形成されている。このような段差1aaを収容体本体１の壁に設けることにより切削加工機を使用した刻印による表示と比較して安価且つ簡単に収納容器に外面から識別可能なライン1aを収納体本体１に与えることができる。
【００１５】
歯科用インプラントボディＸはその長さの種類が多いため、蓋体２に保持されている歯科用インプラントボディＸの長さを示すライン1aは、収納体本体１に複数本存在していることが好ましい。実用的には、１０本を超えると却って識別が困難になるため１〜１０本であることが好ましい。より好ましくは１〜５本である。
【００１６】
収納されている歯科用インプラントボディＸの長さを示すライン1aが収納体本体１の収納部1bの内壁の段差1aaである場合には、図５に示すように、収納体本体１の収納部1bが円筒状であり、収納体本体１の閉ざされている一端から挿入口側に向かって円筒の内径が拡大する段差1aaが内壁に設けられていることが好ましい。このような内壁の段差1aaとすることにより、切削加工機を使用した刻印による表示と比較して安価で簡単に収納容器に外面から識別可能なライン1aを収納体本体１に設けることができる。
【００１７】
別の実施形態として、収納されている歯科用インプラントボディＸの長さを示すライン1aが収納体本体１の収納部1bの外壁の段差1aaである場合には、図７に示すように、収納体本体１の収納部1bが円筒状であり、収納体本体１の閉ざされている一端から挿入口側に向かって円筒の外径が拡大する段差1aaが外壁に設けられていることが好ましい。このような段差1aaとすることにより切削加工機を使用した刻印による表示と比較して安価で簡単に収納容器に外面から識別可能なライン1aを収納体本体に設けることができる。また、外壁の段差1aaであれば、図７に示した例のように、蓋体２の雄ネジ部2bと収納体本体１の雌ネジ部1cで契合される場合において、雌ネジ部1cを一体成型で製造する際に、金型から容易に取り外しができるため収納体本体１の半周等の加工も可能である。
【００１８】
上記の方法であれば、収納体本体１の成型時に段差1aaに対応した段付円筒状の金型を用いることで成型後の収納体本体１を容易に金型から外すことができ、簡単且つ安価に収納容器の内壁及び／または外壁に段差を成型することができる。
【符号の説明】
【００１９】
１  収納体本体
1a  ライン
1aa  段差
1b  収納部
1c  雌ネジ部
1d  凸条部
２  蓋体
2a  凸条部
2b  雄ネジ部
2c  保持部
2ca  六角穴
2cb  突起部
Ｘ  歯科用インプラントボディ
Xa  頭頂部
【図１】
2013192760.tif 000003
【図２】
2013192760.tif 000004
【図３】
2013192760.tif 000005
【図４】
2013192760.tif 000006
【図５】
2013192760.tif 000007
【図６】
2013192760.tif 000008
【図７】
2013192760.tif 000009